【手続補正書】
【提出日】平成29年3月1日(2017.3.1)
【手続補正１】
【補正対象書類名】特許請求の範囲
【補正対象項目名】全文
【補正方法】変更
【補正の内容】
【特許請求の範囲】
【請求項１】
ビデオ情報を符号化する方法であって、
ベースレイヤに含まれるピクチャの第１のセットと、エンハンスメントレイヤに含まれるピクチャの第２のセットとを、記憶することを備え、前記ピクチャの第１のセットおよび前記ピクチャの第２のセットは、前記ビデオ情報の相異なる表現を提供し、前記ピクチャの第１のセットおよび前記ピクチャの第２のセットは、前記それぞれのセットに含まれるピクチャに関する出力順序を有し、前記出力順序は、前記ピクチャに関する表示シーケンスを識別し、各ピクチャは、前記関連した出力順序内の出力位置を有し、前記ピクチャの第１のセットおよび前記ピクチャの第２のセットは、前記それぞれのセットに含まれるピクチャに関する復号順序を有し、前記復号順序は、前記それぞれのセットに含まれる前記ピクチャに関する復号シーケンスを識別し、各ピクチャは、前記関連した復号順序内の復号位置をさらに有し、
前記方法は、
前記ピクチャの第１のセットに含まれる第１のピクチャを識別することと、ここにおいて、前記第１のピクチャの前記出力位置の後に出力位置を有する、前記ピクチャの第１のセット内のピクチャは、また、前記第１のピクチャの前記復号位置の後に復号位置を有する、
前記ピクチャの第２のセットに含まれる第２のピクチャを識別することと、ここにおいて、前記第２のピクチャの前記出力位置の後に出力位置を有する、前記ピクチャの第２のセット内のピクチャは、また、前記第２のピクチャの前記復号位置の後に復号位置を有する、
前記識別された第１のピクチャと、前記識別された第２のピクチャとを、１つのアクセスユニット内に符号化することと
によって特徴付けられる方法。
【請求項２】
前記ピクチャの第１のセットは、ピクチャの第１のグループを備え、前記ピクチャの第２のセットは、ピクチャの第１のグループと、ピクチャの第２のグループとを備える、請求項１に記載の方法。
【請求項３】
前記識別された第１のピクチャの前記出力位置の前に出力位置を有し、前記識別された第１のピクチャの前記復号位置の後に復号位置を有する、前記ピクチャの第１のセットからの前記ピクチャは、また、前記ベースレイヤに含まれるピクチャの第３のセットに含まれる第３のピクチャに先立って復号位置を有し、ここにおいて、前記ピクチャの第３のセット内のピクチャは、前記第３のピクチャの前記出力位置の後に出力位置を有し、また、前記第３のピクチャの前記復号位置の後に復号位置を有し、
ここにおいて、前記識別された第２のピクチャの前記出力位置の前に出力位置を有し、前記識別された第２のピクチャの前記復号位置の後に復号位置を有する、前記ピクチャの第２のセットからの前記ピクチャは、また、前記エンハンスメントレイヤに含まれるピクチャの第４のセットに含まれる第４のピクチャに先立って復号位置を有し、ここにおいて、前記ピクチャの第４のセット内のピクチャは、前記第４のピクチャの前記出力位置の後に出力位置を有し、また、前記第４のピクチャの前記復号位置の後に復号位置を有する、請求項１に記載の方法。
【請求項４】
前記第１のピクチャおよび前記第２のピクチャは、イントラコーディングされたランダムアクセスポイントのピクチャである、請求項１に記載の方法。
【請求項５】
前記アクセスユニットは、前記ビデオ情報のための第１のアクセスユニットであり、ここにおいて、前記アクセスユニットは、前記ビデオ情報が含まれた各レイヤに関するピクチャを含む、請求項１に記載の方法。
【請求項６】
前記ビデオ情報の中に少なくとも１つのピクチャを有する前記ピクチャに関するレイヤより下の各レイヤに対して、ピクチャが前記アクセスユニットに存在しない限り、前記ベースレイヤ以外のレイヤと関連したピクチャは、イントラコーディングされたランダムアクセスポイントのピクチャとしてコーディングされてはならない、請求項１に記載の方法。
【請求項７】
ビデオ情報を復号する方法であって、
ピクチャの２つ以上のレイヤを含む前記ビデオ情報の第１の部分を受信することを備え、ピクチャの各レイヤは、前記それぞれのレイヤに含まれるピクチャに関する出力順序を有し、前記出力順序は、前記ピクチャに関する表示シーケンスを識別し、各ピクチャは、前記関連した出力順序内に出力位置を有し、前記ピクチャの第１のセットおよび前記ピクチャの第２のセットは、前記それぞれのセットに含まれるピクチャに関する復号順序を有し、前記復号順序は、前記それぞれのセットに含まれる前記ピクチャに関する復号シーケンスを識別し、各ピクチャは、さらに、前記関連した復号順序内に復号位置を有し、
前記方法は、
前記ピクチャが、前記ピクチャの前記復号位置に先立って復号位置を有する、また、前記ピクチャの前記出力位置に追従する出力位置を有する他のピクチャを前記レイヤ内に有しないピクチャであるかどうかを決定することによって、受信されたアクセスユニットについて、前記アクセスユニットに含まれた各レイヤに関する前記ピクチャがキーピクチャであるかどうかを識別することと、
アクセスユニットに含まれるすべてのピクチャが、識別されたキーピクチャであるかどうかに関する決定に基づいて、前記ビデオ情報を復号することと
によって特徴付けられる方法。
【請求項８】
前記アクセスユニットに含まれるすべてのピクチャが、識別されたキーピクチャであること、または前記アクセスユニットに含まれるすべてのピクチャが、識別されたキーピクチャでないことを決定すると、クロスレイヤ位置合わせされた復号のための復号パイプラインを構成する、請求項７に記載の方法。
【請求項９】
キーピクチャを識別することをさらに備え、ここにおいて、前記キーピクチャの前記出力位置の前に出力位置を有し、前記識別されたキーピクチャの前記復号位置の後に復号位置を有するレイヤからのピクチャの第１のセットからの前記ピクチャは、また、前記レイヤに含まれる別のキーピクチャに先立って復号位置を有し、ここにおいて、前記別のキーピクチャは、出力順序において前記キーピクチャの後の、次に識別されたキーピクチャである、請求項７に記載の方法。
【請求項１０】
前記ビデオ情報の中に少なくとも１つのピクチャを有する前記ピクチャに関する前記レイヤより下の各レイヤに対して、ピクチャが前記アクセスユニットに存在しない限り、ベースレイヤ以外のレイヤと関連したピクチャは、イントラコーディングされたランダムアクセスポイントのピクチャとしてコーディングされない、請求項７に記載の方法。
【請求項１１】
前記識別することは、選択的に実行される、請求項７に記載の方法。
【請求項１２】
前記識別することは、前記方法を実行する復号デバイスの動作上の特性に基づいて実行され、前記動作上の特性は、前記復号デバイスの処理負荷、熱の状態、帯域幅の容量、メモリの容量、または結合されたハードウェアを含み得る、請求項１１に記載の方法。
【請求項１３】
アクセスユニットに含まれるすべてのピクチャが、識別されたキーピクチャであるかどうかに関する前記決定を、記憶することと、
前記決定から経過した時間の継続時間に基づいて、前記識別することを選択的に実行することとをさらに備える請求項７に記載の方法。
【請求項１４】
ビデオ情報をコーディングするための装置であって、
ベースレイヤに含まれるピクチャの第１のセットと、エンハンスメントレイヤに含まれるピクチャの第２のセットとを記憶するための手段を備え、前記ピクチャの第１のセットおよび前記ピクチャの第２のセットは、前記ビデオ情報の相異なる表現を提供し、前記ピクチャの第１のセットおよび前記ピクチャの第２のセットは、前記それぞれのセットに含まれるピクチャに関する出力順序を有し、前記出力順序は、前記ピクチャに関する表示シーケンスを識別し、各ピクチャは、前記関連した出力順序内に出力位置を有し、前記ピクチャの第１のセットおよび前記ピクチャの第２のセットは、前記それぞれのセットに含まれるピクチャに関する復号順序を有し、前記復号順序は、前記それぞれのセットに含まれる前記ピクチャに関する復号シーケンスを識別し、各ピクチャは、さらに、前記関連した復号順序内に復号位置を有し、
前記装置は、
前記ピクチャの第１のセットに含まれる第１のピクチャを識別するための手段と、ここにおいて、前記第１のピクチャの前記出力位置の後に出力位置を有する、前記ピクチャの第１のセット内のピクチャは、また、前記第１のピクチャの前記復号位置の後に復号位置を有する、前記ピクチャの第２のセットに含まれる第２のピクチャを識別するための手段と、ここにおいて、前記第２のピクチャの前記出力位置の後に出力位置を有する、前記ピクチャの第２のセット内のピクチャは、また、前記第２のピクチャの前記復号位置の後に復号位置を有する、
前記識別された第１のピクチャと、前記識別された第２のピクチャとを、１つのアクセスユニットにコーディングするための手段と
を備えることを特徴とする装置。
【請求項１５】
装置のプロセッサによって実行可能な命令を備え、前記命令は、前記装置に、請求項１乃至１３のうちのいずれか１項に記載の前記方法を実行させる、非一時的なコンピュータ可読媒体。
【手続補正２】
【補正対象書類名】明細書
【補正対象項目名】０１６６
【補正方法】変更
【補正の内容】
【０１６６】
[00178]  様々な例が、述べられた。これらおよび他の例は、以下の特許請求の範囲の範囲内である。
以下に、出願当初の特許請求の範囲に記載された発明を付記する。
［Ｃ１］
ビデオ情報をコーディングするための装置であって、
ベースレイヤに含まれるピクチャの第１のセットと、エンハンスメントレイヤに含まれるピクチャの第２のセットとを、記憶するように構成されるメモリユニットと、前記ピクチャの第１のセットおよび前記ピクチャの第２のセットは、前記ビデオ情報の相異なる表現を提供し、前記ピクチャの第１のセットおよび前記ピクチャの第２のセットは、前記それぞれのセットに含まれるピクチャに関する出力順序を有し、前記出力順序は、前記ピクチャに関する表示シーケンスを識別し、各ピクチャは、前記関連した出力順序内の出力位置を有し、前記ピクチャの第１のセットおよび前記ピクチャの第２のセットは、前記それぞれのセットに含まれるピクチャに関する復号順序を有し、前記復号順序は、前記それぞれのセットに含まれる前記ピクチャに関する復号シーケンスを識別し、各ピクチャは、前記関連した復号順序内の復号位置をさらに有する、
前記メモリユニットに動作可能に結合され、
前記ピクチャの第１のセットに含まれる第１のピクチャを識別し、ここにおいて、前記第１のピクチャの前記出力位置の後に出力位置を有する、前記ピクチャの第１のセット内のピクチャは、また、前記第１のピクチャの前記復号位置の後に復号位置を有し、
前記ピクチャの第２のセットに含まれる第２のピクチャを識別し、ここにおいて、前記第２のピクチャの前記出力位置の後に出力位置を有する、前記ピクチャの第２のセット内のピクチャは、また、前記第２のピクチャの前記復号位置の後に復号位置を有し、
前記識別された第１のピクチャと、前記識別された第２のピクチャとを、１つのアクセスユニットにコーディングするように構成されるビデオプロセッサとを備える装置。
［Ｃ２］
前記ピクチャの第１のセットは、ピクチャの第１のグループを備え、前記ピクチャの第２のセットは、ピクチャの第２のグループを備える、Ｃ１に記載の装置。
［Ｃ３］
前記識別された第１のピクチャの前記出力位置の前に出力位置を有し、前記識別された第１のピクチャの前記復号位置の後に復号位置を有する、前記ピクチャの第１のセットからの前記ピクチャは、また、前記ベースレイヤに含まれるピクチャの第３のセットに含まれる第３のピクチャに先立って復号位置を有し、ここにおいて、前記ピクチャの第３のセット内のピクチャは、前記第３のピクチャの前記出力位置の後に出力位置を有し、また、前記第３のピクチャの前記復号位置の後に復号位置を有し、
ここにおいて、前記識別された第２のピクチャの前記出力位置の前に出力位置を有し、前記識別された第２のピクチャの前記復号位置の後に復号位置を有する、前記ピクチャの第２のセットからの前記ピクチャは、また、前記エンハンスメントレイヤに含まれるピクチャの第４のセットに含まれる第４のピクチャに先立って復号位置を有し、ここにおいて、前記ピクチャの第４のセット内のピクチャは、前記第４のピクチャの前記出力位置の後に出力位置を有し、また、前記第４のピクチャの前記復号位置の後に復号位置を有する、Ｃ１に記載の装置。
［Ｃ４］
前記第１のピクチャおよび前記第２のピクチャは、イントラコーディングされたランダムアクセスポイントのピクチャである、Ｃ１に記載の装置。
［Ｃ５］
前記アクセスユニットは、前記ビデオ情報のための第１のアクセスユニットであり、ここにおいて、前記アクセスユニットは、前記ビデオ情報が含まれた各レイヤに関するピクチャを含む、Ｃ１に記載の装置。
［Ｃ６］
前記ビデオ情報の中に少なくとも１つのピクチャを有する前記ピクチャに関するレイヤより下の各レイヤに対して、ピクチャが前記アクセスユニットに存在しない限り、前記ベースレイヤ以外のレイヤと関連したピクチャは、イントラコーディングされたランダムアクセスポイントのピクチャとしてコーディングされない、Ｃ１に記載の装置。
［Ｃ７］
前記装置は、アクセスユニットのレイヤと関連した前記ピクチャを位置合わせするように構成される前記アクセスユニットを、生成するように構成されるエンコーダを備える、Ｃ１に記載の装置。
［Ｃ８］
前記装置は、アクセスユニットのレイヤと関連した前記ピクチャを位置合わせするように構成される前記アクセスユニットを、処理するように構成されるデコーダを備える、Ｃ１に記載の装置。
［Ｃ９］
前記装置は、デスクトップコンピュータ、ノートブックコンピュータ、ラップトップコンピュータ、タブレットコンピュータ、セットトップボックス、電話送受話器、テレビジョン、カメラ、ディスプレイデバイス、デジタルメディアプレーヤ、ビデオゲームコンソール、車内のコンピュータ、またはビデオストリーミングデバイスを含む、Ｃ１に記載の装置。
［Ｃ１０］
ビデオ情報を符号化する方法であって、
ベースレイヤに含まれるピクチャの第１のセットと、エンハンスメントレイヤに含まれるピクチャの第２のセットとを、記憶することと、前記ピクチャの第１のセットおよび前記ピクチャの第２のセットは、前記ビデオ情報の相異なる表現を提供し、前記ピクチャの第１のセットおよび前記ピクチャの第２のセットは、前記それぞれのセットに含まれるピクチャに関する出力順序を有し、前記出力順序は、前記ピクチャに関する表示シーケンスを識別し、
各ピクチャは、前記関連した出力順序内の出力位置を有し、前記ピクチャの第１のセットおよび前記ピクチャの第２のセットは、前記それぞれのセットに含まれるピクチャに関する復号順序を有し、前記復号順序は、前記それぞれのセットに含まれる前記ピクチャに関する復号シーケンスを識別し、各ピクチャは、前記関連した復号順序内の復号位置をさらに有する、
前記ピクチャの第１のセットに含まれる第１のピクチャを識別することと、ここにおいて、前記第１のピクチャの前記出力位置の後に出力位置を有する、前記ピクチャの第１のセット内のピクチャは、また、前記第１のピクチャの前記復号位置の後に復号位置を有する、
前記ピクチャの第２のセットに含まれる第２のピクチャを識別することと、ここにおいて、前記第２のピクチャの前記出力位置の後に出力位置を有する、前記ピクチャの第２のセット内のピクチャは、また、前記第２のピクチャの前記復号位置の後に復号位置を有する、
前記識別された第１のピクチャと、前記識別された第２のピクチャとを、１つのアクセスユニット内に符号化することとを備える方法。
［Ｃ１１］
前記ピクチャの第１のセットは、ピクチャの第１のグループを備え、前記ピクチャの第２のセットは、ピクチャの第１のグループと、ピクチャの第２のグループとを備える、Ｃ１０に記載の方法。
［Ｃ１２］
前記識別された第１のピクチャの前記出力位置の前に出力位置を有し、前記識別された第１のピクチャの前記復号位置の後に復号位置を有する、前記ピクチャの第１のセットからの前記ピクチャは、また、前記ベースレイヤに含まれるピクチャの第３のセットに含まれる第３のピクチャに先立って復号位置を有し、ここにおいて、前記ピクチャの第３のセット内のピクチャは、前記第３のピクチャの前記出力位置の後に出力位置を有し、また、前記第３のピクチャの前記復号位置の後に復号位置を有し、
ここにおいて、前記識別された第２のピクチャの前記出力位置の前に出力位置を有し、前記識別された第２のピクチャの前記復号位置の後に復号位置を有する、前記ピクチャの第２のセットからの前記ピクチャは、また、前記エンハンスメントレイヤに含まれるピクチャの第４のセットに含まれる第４のピクチャに先立って復号位置を有し、ここにおいて、前記ピクチャの第４のセット内のピクチャは、前記第４のピクチャの前記出力位置の後に出力位置を有し、また、前記第４のピクチャの前記復号位置の後に復号位置を有する、Ｃ１０に記載の方法。
［Ｃ１３］
前記第１のピクチャおよび前記第２のピクチャは、イントラコーディングされたランダムアクセスポイントのピクチャである、Ｃ１０に記載の方法。
［Ｃ１４］
前記アクセスユニットは、前記ビデオ情報のための第１のアクセスユニットであり、ここにおいて、前記アクセスユニットは、前記ビデオ情報が含まれた各レイヤに関するピクチャを含む、Ｃ１０に記載の方法。
［Ｃ１５］
前記ビデオ情報の中に少なくとも１つのピクチャを有する前記ピクチャに関するレイヤより下の各レイヤに対して、ピクチャが前記アクセスユニットに存在しない限り、前記ベースレイヤ以外のレイヤと関連したピクチャは、イントラコーディングされたランダムアクセスポイントのピクチャとしてコーディングされてはならない、Ｃ１０に記載の方法。
［Ｃ１６］
ビデオ情報を復号する方法であって、
ピクチャの２つ以上のレイヤを含む前記ビデオ情報の第１の部分を受信することと、ピクチャの各レイヤは、前記それぞれのレイヤに含まれるピクチャに関する出力順序を有し、前記出力順序は、前記ピクチャに関する表示シーケンスを識別し、各ピクチャは、前記関連した出力順序内に出力位置を有し、前記ピクチャの第１のセットおよび前記ピクチャの第２のセットは、前記それぞれのセットに含まれるピクチャに関する復号順序を有し、前記復号順序は、前記それぞれのセットに含まれる前記ピクチャに関する復号シーケンスを識別し、各ピクチャは、さらに、前記関連した復号順序内に復号位置を有する、
キーピクチャを識別することと、キーピクチャは、前記ピクチャの前記復号位置に先立って復号位置を有する前記ピクチャと関連したレイヤに含まれるピクチャからの、前記ピクチャの前記出力位置に追従する出力位置を有する他のピクチャを有しないピクチャである、
アクセスユニットに含まれるすべてのピクチャが、識別されたキーピクチャであるかどうかに関する決定に基づいて、前記ビデオ情報を復号することとを備える方法。
［Ｃ１７］
前記アクセスユニットに含まれるすべてのピクチャが、識別されたキーピクチャであること、または前記アクセスユニットに含まれるすべてのピクチャが、識別されたキーピクチャでないことを決定すると、クロスレイヤ位置合わせされた復号のための復号パイプラインを構成する、Ｃ１６に記載の方法。
［Ｃ１８］
キーピクチャを識別することをさらに備え、ここにおいて、前記キーピクチャの前記出力位置の前に出力位置を有し、前記識別されたキーピクチャの前記復号位置の後に復号位置を有するレイヤからのピクチャの第１のセットからの前記ピクチャは、また、前記レイヤに含まれる別のキーピクチャに先立って復号位置を有し、ここにおいて、前記別のキーピクチャは、出力順序において前記キーピクチャの後の、次に識別されたキーピクチャである、Ｃ１６に記載の方法。
［Ｃ１９］
前記ピクチャの第１のセットは、レイヤに含まれるピクチャの第１のグループを備える、Ｃ１８に記載の方法。
［Ｃ２０］
前記ビデオ情報の中に少なくとも１つのピクチャを有する前記ピクチャに関する前記レイヤより下の各レイヤに対して、ピクチャが前記アクセスユニットに存在しない限り、ベースレイヤ以外のレイヤと関連したピクチャは、イントラコーディングされたランダムアクセスポイントのピクチャとしてコーディングされない、Ｃ１６に記載の方法。
［Ｃ２１］
前記識別することは、選択的に実行される、Ｃ１６に記載の方法。
［Ｃ２２］
前記識別することは、前記方法を実行する復号デバイスの動作上の特性に基づいて実行される、Ｃ２１に記載の方法。
［Ｃ２３］
前記動作上の特性は、前記復号デバイスの処理負荷、熱の状態、帯域幅の容量、メモリの容量、または結合されたハードウェアを含む、Ｃ２２に記載の方法。
［Ｃ２４］
アクセスユニットに含まれるすべてのピクチャが、識別されたキーピクチャであるかどうかに関する前記決定を、記憶することと、
前記決定から経過した時間の継続時間に基づいて、前記識別することを選択的に実行することとをさらに備えるＣ１６に記載の方法。
［Ｃ２５］
ビデオ情報をコーディングするための装置であって、
ベースレイヤに含まれるピクチャの第１のセットと、エンハンスメントレイヤに含まれるピクチャの第２のセットとを記憶するための手段と、前記ピクチャの第１のセットおよび前記ピクチャの第２のセットは、前記ビデオ情報の相異なる表現を提供し、前記ピクチャの第１のセットおよび前記ピクチャの第２のセットは、前記それぞれのセットに含まれるピクチャに関する出力順序を有し、前記出力順序は、前記ピクチャに関する表示シーケンスを識別し、各ピクチャは、前記関連した出力順序内に出力位置を有し、前記ピクチャの第１のセットおよび前記ピクチャの第２のセットは、前記それぞれのセットに含まれるピクチャに関する復号順序を有し、前記復号順序は、前記それぞれのセットに含まれる前記ピクチャに関する復号シーケンスを識別し、各ピクチャは、さらに、前記関連した復号順序内に復号位置を有する、
前記ピクチャの第１のセットに含まれる第１のピクチャを識別するための手段と、ここにおいて、前記第１のピクチャの前記出力位置の後に出力位置を有する、前記ピクチャの第１のセット内のピクチャは、また、前記第１のピクチャの前記復号位置の後に復号位置を有する、前記ピクチャの第２のセットに含まれる第２のピクチャを識別するための手段と、ここにおいて、前記第２のピクチャの前記出力位置の後に出力位置を有する、前記ピクチャの第２のセット内のピクチャは、また、前記第２のピクチャの前記復号位置の後に復号位置を有する、
前記識別された第１のピクチャと、前記識別された第２のピクチャとを、１つのアクセスユニットにコーディングするための手段とを備える装置。
［Ｃ２６］
前記ピクチャの第１のセットは、ピクチャの第１のグループを備え、前記ピクチャの第２のセットは、ピクチャの第１のグループと、ピクチャの第２のグループとを備える、Ｃ２５に記載の装置。
［Ｃ２７］
前記アクセスユニットは、前記ビデオ情報のための第１のアクセスユニットであり、ここにおいて、前記アクセスユニットは、前記ビデオ情報が含まれた各レイヤに関するピクチャを含む、Ｃ２５に記載の装置。
［Ｃ２８］
前記ビデオ情報の中に少なくとも１つのピクチャを有する前記ピクチャに関するレイヤより下の各レイヤに対して、ピクチャが前記アクセスユニットに存在しない限り、前記ベースレイヤ以外のレイヤと関連したピクチャは、イントラコーディングされたランダムアクセスポイントのピクチャとしてコーディングされない、Ｃ２５に記載の装置。
［Ｃ２９］
装置のプロセッサによって実行可能な命令を備え、前記命令は、前記装置に、Ｃ１０に記載の前記ビデオ符号化方法を実行させる、非一時的なコンピュータ可読媒体。
［Ｃ３０］
装置のプロセッサによって実行可能な命令を備え、前記命令は、前記装置に、Ｃ１６に記載の前記ビデオ復号方法を実行させる、非一時的なコンピュータ可読媒体。